(57)【要約】【課題】ビール等を入れる二重容器において、材料ごとに（蓄冷剤も）分別しやすく、冷却効果を高められ、蓄冷剤の膨張時にも内容器と外容器の連結具合を維持する。【解決手段】コップ状のガラス製内容器１と、その外側の樹脂製外容器２との間に断熱空間４を設け、断熱空間に蓄冷剤６を備え、内容器の上部と外容器の上部を着脱可能に連結する二重容器において、内容器の底面を中央に向かって高くなるドーム状とし、外容器は、筒形の外容器本体７とその底を塞ぐ着脱可能な底蓋８を備え、断熱空間は、下向きに開口する保冷容器３とその開口を塞ぐ着脱可能な前記底蓋とで囲む蓄冷剤充填空間５を備え、保冷容器は、外容器よりも軟らかい樹脂で、内容器の底面の下方に水平部３１ａを備える天壁３１と、天壁の外周から垂下する周壁３２を備え、水平部は、蓄冷剤軟化時に内容器との間に山形の隙間３１ｃを設け、蓄冷剤の固化膨張時に内容器の底面に密着する。【選択図】      図１
2010042836.tif 000002
【特許請求の範囲】
【請求項１】
コップ状のガラス製の内容器（１）と、その外側を覆う合成樹脂製の外容器（２）との間に断熱空間（４）を形成し、断熱空間（４）に蓄冷剤（６）を備え、内容器（１）の上部と外容器（２）の上部を着脱可能に連結してある二重容器において、
内容器（１）は、その底面を中央に向かって高くなるドーム状とし、
外容器（２）は、筒形の外容器本体（７）と、外容器本体（７）の底を塞ぐ着脱可能な底蓋（８）とから構成し、
断熱空間（４）は、下向きに開口する保冷容器（３）とその開口を塞ぐ着脱可能な前記底蓋（８）とで囲まれる蓄冷剤充填空間（５）を備え、蓄冷剤充填空間（５）に蓄冷剤（６）を収容し、
保冷容器（３）は、内容器（１）の底面よりも下方において水平部（３１ａ）を備える天壁（３１）と、天壁（３１）の外周から垂下する周壁（３２）とを備え、外容器（２）よりも軟らかい樹脂で形成され、
水平部（３１ａ）は、蓄冷剤（６）の軟化時には内容器（１）底面との間に山形の隙間（３１ｃ）を形成すると共に、蓄冷剤（６）の固化膨張時には少なくとも内容器（１）の底面に密着することを特徴とする二重容器。
【請求項２】
保冷容器（３）は、周壁（３２）の下端部に被挟持部（３３）を形成し、
外容器本体（７）に対して底蓋（８）を着脱する手段は捩じ込み式であって、捩じ込んだ時の外容器本体（７）と底蓋（８）との間には被挟持部（３３）に対応する挟持部（７４）が形成され、挟持部（７４）にて被挟持部（３３）との間を気密に保持することを特徴とする請求項１記載の二重容器。
【請求項３】
保冷容器（３）の被挟持部（３３）は、上側に比べて段差状に外側に張り出す段部（３３ｂ）と、段部（３３ｂ）から下方に向けて末広がりとなるテーパー部（３３ｃ）を備えることを特徴とする請求項２記載の二重容器。
【請求項４】
蓄冷剤充填空間（５）は、内容器（１）の底部下方に位置する底空間部（５１）と、内容器（１）の周囲を覆う筒空間部（５２）とから構成してあり、底空間部（５１）と筒空間部（５２）を連通して形成し、
保冷容器（３）の天壁（３１）は、筒空間部（５２）を囲むリング部（３１ｂ）を水平部（３１ａ）の外周に備え、
リング部（３１ｂ）は、蓄冷剤（６）の固化膨張時には少なくとも内容器（１）の外周面に密着することを特徴とする請求項２または３記載の二重容器。
【請求項５】
リング部（３１ｂ）の外周面と外容器本体（７）の内周面との間に断熱空間（４）を確保するためのリブ（３４）を、リング部（３１ｂ）又は外容器本体（７）に備えることを特徴とする請求項４記載の二重容器。
【発明の詳細な説明】
【技術分野】
【０００１】
本発明は、例えばビールに代表される飲料を入れて保冷するコップ状の二重容器に関する。
【背景技術】
【０００２】
従来の二重容器としては、コップ状のガラス製の内容器の外側を断熱空間を介して合成樹脂製の外容器で覆い、蓄冷剤が詰まった保冷パックを断熱空間に備え、内容器の上部と外容器の上部を着脱可能に連結したものが知られている（特許文献１参照）。
【０００３】
これは、主にビール等を入れて保冷するものである。そして、何度も使った後には、ガラス製の内容器、合成樹脂製の外容器、保冷パックを分別することができものである。また、これは、保冷パックの天井部の肉厚を他の部分に比べて薄肉にすることにより、蓄冷剤の凍結時に天井部を効果的に膨張させ、天井部を内容器の底面に密着させて、冷却効果を高めるものである。
【０００４】
ところが、保冷パックから蓄冷剤を分別するには、保冷パックを破かなければならず、その破き具合によっては蓄冷剤が回収し難い。また、保冷パックは肉厚を均一にしていないことから、製造し難くいものである。
【０００５】
さらに、保冷パックは内容器の底部と外容器の底部の間に収容されているので、凍結して膨張した時に内容器を押し上げる力が作用し、言い換えると、内容器と外容器の連結を解除する力が作用し、場合によっては内容器と外容器との連結が外れやすくなる。
【０００６】
【特許文献１】特開２００８−１０５７２０号公報
【発明の開示】
【発明が解決しようとする課題】
【０００７】
本発明者は上記実情を考慮して創作されたもので、その解決課題は、材料ごとに、特に蓄冷剤をも分別しやすくすると共に、冷却効果を高めることができ、しかも蓄冷剤の膨張時にも内容器と外容器の連結具合が十分に維持できる二重容器を提供することである。
【課題を解決するための手段】
【０００８】
本発明は、コップ状のガラス製の内容器と、その外側を覆う合成樹脂製の外容器との間に断熱空間を形成し、断熱空間に蓄冷剤を備え、内容器の上部と外容器の上部を着脱可能に連結してある二重容器を前提とする。
【０００９】
そして、請求項１の発明は、内容器は、その底面を中央に向かって高くなるドーム状とし、外容器は、筒形の外容器本体と、外容器本体の底を塞ぐ着脱可能な底蓋とから構成し、断熱空間は、下向きに開口する保冷容器とその開口を塞ぐ着脱可能な前記底蓋とで囲まれる蓄冷剤充填空間を備え、蓄冷剤充填空間に蓄冷剤を収容し、保冷容器は、内容器の底面よりも下方において水平部を備える天壁と、天壁の外周から垂下する周壁とを備え、外容器よりも軟らかい樹脂で形成され、水平部は、蓄冷剤の軟化時には内容器底面との間に山形の隙間を形成すると共に、蓄冷剤の固化膨張時には少なくとも内容器の底面に密着することを特徴とする。
【００１０】
保冷容器は、その下向きの開口を底蓋で塞いでいるので、蓄冷剤が凍結して固化膨張した時には、保冷容器と底蓋との間に両者を外す方向の力が働く。底蓋が外れると蓄冷剤が流出することになる。また、保冷容器は、底蓋と内容器の底部との間に収容されているので、蓄冷剤の固化膨張時には内容器を押し上げる力が強く作用し、その反作用として底蓋を下方に押し込む力も発生し、底蓋が外容器本体から外れやすくなる。これらを高いレベルで防ぐには、請求項２のようにすることが望ましい。即ち、保冷容器は、周壁の下端部に被挟持部を形成し、外容器本体に対して底蓋を着脱する手段は捩じ込み式であって、捩じ込んだ時の外容器本体と底蓋との間には被挟持部に対応する挟持部が形成され、挟持部にて被挟持部との間を気密に保持するものである。
【００１１】
被挟持部の形状は特に問わず、例えば鉛直な筒状であっても良いが、上述の膨張による不都合を一段と防ぐには請求項３のようにすることが望ましい。即ち、保冷容器の被挟持部は、上側に比べて段差状に外側に張り出す段部と、段部から下方に向けて末広がりとなるテーパー部を備えるものである。
【００１２】
保冷容器および蓄冷剤充填空間は内容器の底部のみに設けるものであっても良いが、内容器に入れる液体等の冷却効果を高めるには、請求項４のようにすることが望ましい。即ち、蓄冷剤充填空間は、内容器の底部下方に位置する底空間部と、内容器の周囲を覆う筒空間部とから構成してあり、底空間部と筒空間部を連通して形成し、保冷容器の天壁は、筒空間部を囲むリング部を水平部の外周に備え、リング部は、蓄冷剤の固化膨張時には少なくとも内容器の外周面に密着するものである。
【００１３】
筒空間部を囲むリング部とは、筒空間部の内周、天井及び外周を囲むものである。リング部の外周面と外容器本体の内周面は密着するものであっても良いが、蓄冷剤の冷却効果を持続するには、請求項５のようにすることが望ましい。即ち、リング部の外周面と外容器本体の内周面との間に断熱空間を確保するためのリブを、リング部又は外容器本体に備えるものである。
【発明の効果】
【００１４】
請求項１の発明は、内容器と外容器、外容器本体と底蓋、および保冷容器と底蓋をそれぞれ着脱可能に連結するものなので、各々分離すれば、ガラス製の内容器と、合成樹脂製の外容器と、軟質樹脂製の保冷容器と、蓄冷剤に分別できる。また、保冷容器が下向きに開口する形状なので、保冷容器からその下側を塞ぐ底蓋を外すと、保冷容器の中に詰まった蓄冷剤を取り出しやすい。さらに、蓄冷剤充填空間は、外容器の底蓋とその上側の保冷容器で作られており、外容器（底蓋）よりも軟らかい樹脂を保冷容器に用いているので、蓄冷剤の固化膨張時には保冷容器が底蓋よりも先に膨張し、内容器の底面に保冷容器の天壁上面を密着させて熱を伝え、冷却効果を高めることができる。
【００１５】
また、内容器の底面を中央に向かって高くなるドーム状とし、保冷容器の天壁に水平部を備え、内容器の底面と水平部との間に山形の隙間を形成してあるので、保冷容器の下端部から最も離れて膨張しやすい箇所の隙間が一番広くなり、蓄冷剤の固化膨張時に、内容器の底部を保冷容器が押し上げる力を緩和でき、その反作用として底蓋を押し下げる力も緩和でき、底蓋が外れ難くなる。したがって、内容器と外容器の連結具合を十分に維持でき、二重容器としての機能を維持できる。
【００１６】
請求項２の発明は、保冷容器の下端部を外容器本体と蓋部との間に挟持するものなので、蓄冷剤の膨張時に保冷容器と底蓋が外れ難くなり、内容器と外容器の連結具合を十分に維持できる。
【００１７】
請求項３の発明は、保冷容器の被挟持部にテーパー部を有するので、外容器本体に底蓋を捩じ込んで連結すれば、挟持部で被挟持部を挟持する力が捩じ込むにつれて向上するので、内容器と外容器の連結具合を一段と向上できる。また、保冷容器の被挟持部が外側に張り出す段部をテーパー部の上に備えるので、蓄冷剤の膨張時に保冷容器が内容器を押し上げる力を段部の引っかかりによって一段と抑制できる。
【００１８】
請求項４の発明は、筒空間部と底空間部で蓄冷剤充填空間を形成し、筒空間部の内周、天井および外周を囲むリング部を水平部の外周に備えるので、内容器を底面だけでなく外周面からも冷却することになり、内容器に入れる液体等の冷却効果を高められる。
【００１９】
請求項５の発明は、リブによって保冷容器のリング部と外容器との間に断熱空間を確保できるので、蓄冷剤の熱が外容器に伝わり難くなる。その結果、蓄冷剤の熱が外容器よりも内容器に多く伝わるようになり、内容器に入れる液体等の冷却効果を一段と高められると共に、蓄冷剤の効果を長時間に亘って持続できるものである。また、外容器の結露が少なくなり、外容器を把持した時の冷たさも和らぐ。
【発明を実施するための最良の形態】
【００２０】
本発明の二重容器は、図１〜図３に示すように透明な二重構造のジョッキ形態であって、内容器１と、内容器１の外側を囲む外容器２と、下向きに開口する保冷容器３を有するものである。そして、二重容器は、内容器１の上部と外容器２の上部を捩じ込み式に着脱可能に連結すると共に、この連結箇所の下側において内容器１と外容器２の間に断熱空間４を形成し、断熱空間４の下部には保冷容器３を備え、保冷容器３と外容器２の底部によって囲まれる蓄冷剤充填空間５に蓄冷剤６を充填するものである。以下、上述の各構成要素について順番に詳述する。
【００２１】
内容器１はガラス製のコップ状（有底円筒形）であって、下方に向かうにつれてその内径および外径を狭くする形状としてある。また、内容器１は、その上端部を口部１１とし、口部１１をそれより下側より段差状に外側に張り出している。内容器１は、その外周面であって口部１１の下側近傍には断面円弧状のオネジ１２を外周方向に沿って間隔をあけて同じ高さ箇所に形成してある。さらに、内容器１は、その底面を中央に向かって高くなるドーム状（上げ底形状）としてある。
【００２２】
外容器２は硬質な合成樹脂製で、口部１１の直ぐ下側部分において内容器１の外周面に嵌るコップ状であって、その内周面の上端にはオネジ１２の突出分だけ窪ませた幅広溝２１をオネジ１２に対応する箇所に形成し、幅広溝２１の底部にはオネジ１２を捩じ込むメネジ２２を円周方向に沿って形成してある。また、外容器２はその外周面の一部に持ち手２３を設けてある。
【００２３】
外容器２は、円筒形の外容器本体７と、外容器本体７の底を着脱可能に塞ぐ円板形の底蓋８と、底蓋８にあけたキャップ孔８１を塞ぐキャップ８２とから構成してある。そして、外容器２は、外容器本体７の下端部と底蓋８の外周部を捩じ込み式に着脱可能に連結することによって、保冷容器３の下端部を挟持すると共に保冷容器３の開口を底蓋８で塞ぎ、保冷容器３と底蓋８によって囲まれた蓄冷剤充填空間５を形成する。
【００２４】
外容器本体７は、その上端部をそれより下側に比べて内側に突出する厚肉形状に形成し、この厚肉形状部分を内容器１の外周面に嵌り合う嵌合部７１とし、前述のメネジ２２を嵌合部７１の内周面に備えている。外容器本体７は、その下端部の外周面に、底蓋８を連結するための雄ネジ７２を円周方向に沿って螺旋状に数巻き突出すると共に、雄ネジ７２の上側を外側に段差状に突出してある。
【００２５】
また、外容器本体７は、その下端部の内周面に、保冷容器３の下端部外側を案内する外ガイド７３を円周方向に沿って形成してある。外ガイド７３は、略鉛直な保冷容器３の下部外周面を案内する外垂下部７３ａを、その上部に（雄ネジ７２の上部に対応する高さ位置に）備え、その高さ中間部に、内径を広げる方向に段差状にへこむ外段部７３ｂを有し、その下部に（外段部７３ｂから下側に）、下方に向かって内径が広がる外テーパー部７３ｃを付けたものである。
【００２６】
底蓋８は、円板８３と、円板８３の外周縁部に円周方向に沿って起立するネジ片８４と、円板８３のネジ片８４よりも内側に円周方向に沿って備わる内ガイド８６とから構成してある。ネジ片８４は、その外周面を外容器本体７の外周面と面一とし、その内周面に、前記雄ネジ７２に捩じ込む雌ネジ８５を円周方向に沿って形成してある。また、内ガイド８６は、保冷容器３の下端部内側を案内するものである。
【００２７】
内ガイド８６は、外ガイド７３と同様の形態であって、その上部に内垂下部８６ａを、その高さ中間部に内段部８６ｂを、その下部に内テーパー部８６ｃをそれぞれ備えるものである。内垂下部８６ａは、略鉛直な保冷容器３の下部内周面を案内するもので、円板８３から起立して設けてある。内段部８６ｂは、内垂下部８６ａの下端部であって外段部７３ｂよりも下側において、外径を広げる方向に段差状に張り出している。内テーパー部８６ｃは、下方に向かって外径が広がるものである。上述の内ガイド８６と外ガイド７３によって、保冷容器３の下端部を挟持する挟持部７４が形成される。この挟持によって被挟持部３３と挟持部７４との間の気密が確保され、保冷容器３内の蓄冷剤６が外部に漏れなくなる。
【００２８】
また、底蓋８は、円板８３の底面を上げ底面８３ａとし、外周部よりも内側部分を段差状に高くしてあり、上げ底面８３ａには前述のキャップ孔８１と、指を掛ける指掛け部８７を設けてある。指掛け部８７は、上げ底面８３ａの外周部において、円板８３の中心から等角度おきに放射状に複数設けてある。また、指掛け部８７は、上げ底面８３ａから円板８３の外周部の底面よりも上にまで垂下してある。
【００２９】
キャップ８２は、底蓋８よりも軟らかな合成樹脂を材料とし、その弾力性によってキャップ孔８１に押し込まれる。
【００３０】
保冷容器３は外容器２よりも軟らかい軟質合成樹脂、例えばポリエチレンを材料とするものである。保冷容器３は下向きに開口するもので、平面視円形の天壁３１と、天壁３１の外周から垂下する円筒形の周壁３２とから構成してある。
【００３１】
天壁３１は、内容器１の底面に対向する円形の水平部３１ａと、水平部３１ａの外周から起立し外側に向かった後に垂下するリング部３１ｂとを備える。水平部３１ａの上面は、内容器１の底面との間に山形（球の頂部形状）の隙間３１ｃを構築する。この隙間３１ｃは、最大高さで保冷容器３の肉厚ｔ以上となっている。リング部３１ｂは、内容器１の外周面と外容器２の内周面の間に収容されるもので、蓄冷剤充填空間５の後述の筒空間部５２における内周、天井及び外周を囲むものである。水平部３１ａから内容器１の外周形状に対応して起立する内壁部３１ｄと、内壁部３１ｄの上端から外側に向かう鍔部３１ｅと、鍔部３１ｅの外周から垂下して周壁３２に連続する外壁部３１ｆとを備える。内壁部３１ｄと水平部３１ａは、内容器１の下部に遊びのある状態で嵌る凹部となる。
【００３２】
周壁３２は、外壁部３１ｆの下端から底蓋８まで外容器２の内周面に沿わせて垂下するもので、その下端部に、前述の挟持部７４によって挟まれる被挟持部３３を備える。
【００３３】
被挟持部３３は、挟持部７４によって形成される空間の形状に対応して、その上部を垂下部３３ａとし、その高さ中間部を外周方向に段差状に広がる段部３３ｂとし、その下部を下方に向けて末広がりとなるテーパー部３３ｃとするものである。
【００３４】
断熱空間４は、内容器１の口部１１より下側に形成される有底円筒形であって、天壁３１の鍔部３１ｅを境にして上部に空気を収容し、鍔部３１ｅを境にして下部を蓄冷剤充填空間５としてある。
【００３５】
蓄冷剤充填空間５は、内容器１の底面下方を覆う底空間部５１と、内容器１の下部外周面を覆う筒空間部５２とを連通する断面凹形状の空間である。筒空間部５２は、その外側をリング部３１ｂに囲まれており、その半径方向の幅Ｗを保冷容器３の肉厚ｔよりも幅広く形成し、蓄冷剤６を十分に充填できるようにしてある。また、蓄冷剤充填空間５の全高ｈは、底蓋８の上面と保冷容器３の鍔部３１ｅの底面との距離であって、断熱空間４の全高Ｈの半分以上とすることが保冷効果を高めるためには望ましい。
【００３６】
蓄冷剤６は半透明で、例えば塩分含有量が全体の重量比で１５％程度の配合割合のものを用い、その塩分含有量により、−２０℃〜−５℃の範囲で凍結又は解凍する性質を有するものを用いる。また、塩分となる材料として、塩化カリウムを用い、全体の重量比で１０〜２０％の配合割合とすることにより、ほぼ確実に蓄冷剤全体が凍結するものと推測される。また、Ｃ．Ｍ．Ｃ（カルボキシメチルセルロース）は、白色〜類白色の粉末であり、その性状は温水だけでなく冷水にも溶解し、溶解時には増粘性を呈するものである。このＣ．Ｍ．Ｃを蓄冷剤６の成分として全体の重量比で１．０〜２．０％で配合することにより、蓄冷剤６が粘結性を呈するので、凍結時に保冷容器３の凹部を内容器１の下部に密着させる状態を長時間に亘って保つことができる。
【００３７】
上述の二重容器は例えば次の手順で組み立てる。まず、底蓋８の上に保冷容器３を置き、底蓋８の内ガイド８６の外側に保冷容器３の被挟持部３３を沿わせる。次に、保冷容器３のリング部３１ｂに沿わせて外容器本体７を挿入し、外容器本体７の下端部を底蓋８にねじ込んで連結し、外容器２をコップ状に形成する。続いて、内容器１のオネジ１２を外容器２の幅広溝２１に合わせてから、内容器１の口部１１よりも下側を外容器２に挿入し、内容器１を外容器２に捩じ込んで連結する。その後、注入器に詰まった蓄冷剤６を底蓋８のキャップ孔８１から充填し、キャップ８２をキャップ孔８１に嵌め込む。最後に、キャップ８２の周囲を超音波溶着等してキャップ８２と底蓋８を一体化する。なお、分解する際には、キャップ８２を底蓋８の上面側から強固に押して外すこともできる。
【００３８】
蓄冷剤６の解凍時（軟化時）には内容器１の底面と保冷容器３の上面との間に隙間３１ｃのある状態となる。一方、蓄冷剤６の凍結時（固化時）には膨張して保冷容器３を押し広げ、内容器１の下部と保冷容器３の凹部とを密着させ、膨張分の空気が内容器１と外容器２の連結部分（オネジ１２、メネジ２２）の遊びから外部に排出される。
【００３９】
図４、図５は、別例の二重容器を示すものである。この例の二重容器は、リブ３４をリング部３１ｂの外周面に備え、リブ３４によって、保冷容器３のリング部３１ｂの外周面と外容器２の内周面との間に断熱空間４を確保するものである。
【００４０】
リブ３４は、上下に沿って延びるもので、リング部３１ｂの外壁部３１ｆの外面に対して円周方向に間隔をおいて設けられている。したがって、隣り合うリブ３４の間に断熱空間４が確保され、蓄冷剤６の効果を長時間に亘って持続できる。なお、リブ３４は、被挟持部３３にまで達しているが、リブ３４を含めた被挟持部３３を挟持部７４で挟持するので、被挟持部３３と挟持部７４との間の気密は確保され、蓄冷剤６が漏れることはない。
【００４１】
本発明は上記実施形態に限定されるものではない。例えば、オネジ１２を外容器２の上部に、メネジ２２を内容器１の上部にそれぞれ設けても良い。また、オネジ１２、メネジ２２は、数巻きの螺旋状のものであっても良い。さらに、リブ３４は、保冷容器３ではなく、外容器２の内周面に連続して設けても良い。また、リブ３４は、周壁３２の下端部（被挟持部３３）よりも上側まで垂下するものであってもよい。
【図面の簡単な説明】
【００４２】
【図１】（イ）、（ロ）、（ハ）図は、蓄冷剤の解凍時の二重容器を示す一部拡大縦断面図、平面図、底面図である。
【図２】図１のＡ−Ａ線切断部端面図、Ｂ−Ｂ線切断部端面図である。
【図３】蓄冷剤の凍結時の二重容器を示す一部拡大縦断面図である。
【図４】別例の二重容器を示す縦断面図である。
【図５】図４のＡ−Ａ線断面図である。
【符号の説明】
【００４３】
１内容器、２外容器、３保冷容器、４断熱空間、５蓄冷剤充填空間、６蓄冷剤、
７外容器本体、８底蓋、１１口部、１２オネジ、２１幅広溝、２２メネジ、２３持ち手、
３１天壁、３１ａ水平部、３１ｂリング部、３１ｃ隙間、３１ｄ内壁部、３１ｅ鍔部、
３１ｆ外壁部、３２周壁、
３３被挟持部、３３ａ垂下部、３３ｂ段部、３３ｃテーパー部、３４リブ、
５１底空間部、５２筒空間部、Ｗ幅、ｔ肉厚、ｈ全高、Ｈ全高、
７１嵌合部、７２雄ネジ、７３外ガイド、７３ａ外垂下部、７３ｂ外段部、
７３ｃ外テーパー部、７４挟持部、
８１キャップ孔、８２キャップ、８３円板、８３ａ上げ底面、８４ネジ片、８５雌ネジ、８６内ガイド、８６ａ内垂下部、８６ｂ内段部、８６ｃ内テーパー部、８７指掛け部
【図１】
2010042836.tif 000003
【図２】
2010042836.tif 000004
【図３】
2010042836.tif 000005
【図４】
2010042836.tif 000006
【図５】
2010042836.tif 000007